(57)【特許請求の範囲】
【請求項１】
下面が開口され、天面に送風機が取付けられて側面に排気口が設けられた箱状の外筐と、
下面に吸込み口が設けられ前記外筐内に挿入されて前記送風機が収容され、該送風機との間に風路が形成されて側面に前記外筐の排気口と連通する吐出口が設けられたファンケーシングと、
該ファンケーシングの下面にスプリングにより取付けられて前記外筐の下面開口部を閉塞する化粧グリルとを有し、
前記ファンケーシングを、吸込み口の周囲に設けた複数のねじ止め部により前記外筐に固定し、
前記ファンケーシングの吸込み口の両側に対向して前記スプリングが挿入されるスプリング取付部を設け、
前記複数のねじ止め部のうち、前記化粧グリルを前記ファンケーシングに取付ける際の前記スプリングの通過位置にあるねじ止め部の少なくとも前記スプリング取付部側に傾斜面を有する突部を設けたことを特徴とするダクト用換気扇装置。
【請求項２】
前記化粧グリルの背面に前記スプリング取付部に対応して設けられ、ほぼＶ字状に開いて拡開方向に付勢された一対の脚部を有するスプリングを、前記スプリング取付部に挿入して前記ファンケーシングの下面に圧接させ、該化粧グリルを前記ファンケーシングに取付けて前記外筐の下面開口部を閉塞することを特徴とする請求項１記載のダクト用換気扇装置。
【請求項３】
前記ファンケーシングを樹脂で形成したことを特徴とする請求項１または２に記載のダクト用換気扇装置。
【発明の詳細な説明】
【技術分野】
【０００１】
本発明は、天井等に取付けられ、天井裏などに設けられたダクトに連結されて屋内空気を換気するダクト用換気扇装置に関するものである。
【背景技術】
【０００２】
従来の天井取付け型換気扇に、本体、送風機が収容され本体内に設置されて本体との間に風路を形成するファンケーシング、及びこのファンケーシングに保持されて本体の下面開口部を閉塞する化粧グリルからなり、ファンケーシングは本体の天面にねじ止めして固定され、化粧グリルは取付金具に取付けられ、Ｖ字状に開いて拡開方向に付勢された二股の脚部を有するスプリングを、ファンケーシングに設けたスプリング取付部のスリットに挿入し、その付勢力により化粧グリルの周縁を天井に密着し、保持させて本体の下面開口部を閉塞したものがある（例えば、特許文献１参照）。
【先行技術文献】
【特許文献】
【０００３】
【特許文献１】特開平４−１５４４０号公報（第２４８−２４９頁、図１−３）
【発明の概要】
【発明が解決しようとする課題】
【０００４】
上記のような従来の天井取付型換気扇においては、ファンケーシングを本体の天面にねじ止めして固定するようになっているため、本体とファンケーシングの間の狭い隙間でのねじ締付作業となり、作業性が悪かった。
また、この天井取付型換気扇は天井に据付けられているため、高所作業に加えてファンケーシングが本体の天面に固定されているので、暗部のためねじ位置の把握が困難であり、これらによりメンテナンスがきわめて面倒であった。
【０００５】
そこで、ファンケーシングを風路に影響のない位置で、吸込み口の付近で本体にねじ止めし固定することが考えられるが、こうすると、化粧グリルを保持するスプリングがファンケーシングを本体に固定するねじに引っ掛ってファンケーシングに圧接されないため、ファンケーシングに付勢力が作用しなくなり、化粧グリルを天井に接するまで引き上げることができず、このため、化粧グリルと天井との間に隙間が生じて取付不良になるという問題点が発生する。このようなことから、ファンケーシングは本体の天面にねじで固定せざるを得なかった。
【０００６】
本発明は、上記の課題を解決するためになされたもので、ファンケーシングの吸込み口付近を外筐にねじで固定することにより作業性、メンテナンス性が向上し、その上ファンケーシングを外筐に固定するねじに、化粧グリルがファンケーシングに取付けるスプリングに引掛かる（以下、この状態をスプリングにねじが干渉するという）ことのないダクト用換気扇装置を提供することを目的としたものである。
【課題を解決するための手段】
【０００７】
本発明に係るダクト用換気扇装置は、下面が開口され、天面に送風機が取付けられて側面に排気口が設けられた箱状の外筐と、下面に吸込み口が設けられ外筐内に挿入されて送風機が収容され、送風機との間に風路が形成されて側面に外筐の排気口と連通する吐出口が設けられたファンケーシングと、ファンケーシングの下面にスプリングにより取付けられて外筐の下面開口部を閉塞する化粧グリルとを有し、ファンケーシングを、吸込み口の周囲に設けた複数のねじ止め部により外筐に固定し、ファンケーシングの吸込み口の両側に対向してスプリングが挿入されるスプリング取付部を設け、複数のねじ止め部のうち、化粧グリルをファンケーシングに取付ける際のスプリングの通過位置にあるねじ止め部の少なくともスプリング取付部側に傾斜面を有する突部を設けたものである。
【発明の効果】
【０００８】
本発明によれば、ファンケーシングの吸込み口付近を外筐にねじで固定するようにしたので、ファンケーシングの外筐への取付けが容易であり、取付作業性、メンテナンス性を向上することができる。
【図面の簡単な説明】
【０００９】
【図１】本発明の一実施の形態に係るダクト用換気扇装置を天井に据付けた状態を示す断面図である。
【図２】図１のダクト用換気扇装置の組立手順の説明図である。
【図３】図１のファンケーシングの斜視図である。
【図４】外筐へのファンケーシングの取付構造を示す説明図である。
【図５】化粧グリルへのスプリングの取付構造を示す説明図である。
【図６】ファンケーシングに設けたねじ止め部の一部の構造説明図である。
【発明を実施するための形態】
【００１０】
本発明の一実施の形態である図１〜図３において、１はダクト用換気扇装置である。２は換気する空気を流通させる換気駆動体である多翼式送風機３（以下、単に送風機という）と、この送風機３が収容された箱状で樹脂製のファンケーシング６とからなる換気扇で、送風機３はモータ４と、このモータ４によって回転駆動されるファン５とからなっている。
【００１１】
２０は換気扇２が収容される箱状で下面が開口した外筐で、その天面にはファンケーシング６内に収容される送風機３のモータ４が取付けられており、一方の側面には排気口２１が設けられている。そして、外筐２０の側面には、排気口２１に連通し、側面から直角方向に延設されてその吐出口２３にダクト４０が接続されるダクト接続枠２２が設けられている。
【００１２】
ダクト接続枠２２の外径は、径の異なる段状に形成されており、これは接続するダクト４０の径が異っても対応することができることや、テーピングなどの作業性を考慮したものである。また、ダクト接続枠２２には、風圧によって開閉するシャッター２４が設けられており、送風機３の運転時には風圧で開き、停止時には自重によりダクト接続枠２２を閉鎖するようになっている。
【００１３】
このようなシャッター２４を設けることにより、送風機３の停止時にはダクト接続枠２２を閉塞して、屋外から外風がダクト４０を介して屋内に侵入するのを防止している。なお、ダクト４０は屋外まで延びており、建物の外壁に設けたフードなどに連結され、屋内の空気を換気する換気風路を構成している。
【００１４】
送風機３が収容されるファンケーシング６は、上面が開口され、下面にベルマウスを有する吸込み口７が設けられており、吸込み口７から吸込まれた空気は、ファンケーシング６の内壁と送風機３との間に形成された風路８に沿って流れ、吐出口９から外筐２０の排気口２１へ流出する。
【００１５】
このファンケーシング６は、図２に示すように、下部開口部から外筐２０内に挿入され、モータ４が外筐２０の天面に取付けられた送風機３を内部に収容する。そして、ファンケーシング６は、図４に示すように、外筐２０の内壁の下方に設けた複数のＬ字状の取付金具２５に、吸込み口７の外周のフランジ部１０に設けたねじ止め部１１をそれぞれ当接し、下面から挿入したねじ５０によりねじ止めして外筐２０に固定される。
また、ファンケーシング６のフランジ部１０の吸込み口７の両側には、外筐２０の下面開口部を閉塞する化粧グリル３０を保持するための一対のスプリング取付部１５が対向して設けられている。
【００１６】
化粧グリル３０の背面には、ファンケーシング６の吸込み口７の両側に設けられたスプリング取付部１６に対応して、図５に示すように、スプリング保持部３１が設けられている。３５は中央に設けたコイル部３６の両側にほぼＶ字状に開き、拡開方向に付勢されて先端が円状に曲げられた（例えば、半径３ｍｍ）円弧状の脚部３７ａ，３７ｂ（以下、単に３７と記すことがある）を持つスプリングで、中央部に設けたコイル部３６がスプリング保持部３１の穴３２に挿入された支持ピン３３により吊支持されている。
【００１７】
この化粧グリル３０は、図１に示すように、スプリング３５の脚部３７がファンケーシング６のスプリング取付部１５の穴１６に挿通されて両側に開き、その拡開方向の付勢力によってファンケーシング６に圧接され、化粧グリル３０の周縁が天井４５に当接して取付けられ、外筐２０の下面開口部を閉塞する。
【００１８】
ところで、このようにして化粧グリル３０をファンケーシング６に取付けると、スプリング取付部１５の穴１６に挿通したスプリング３５の一方の脚部３７に、その通過位置にあるファンケーシング６の下面（フランジ部１０）に設けたねじ止め部１１（スプリング取付部１６の一方の側に設けたねじ止め部１１）のねじ５０が干渉し、ファンケーシング６を押上げる脚部３７の付勢力が低下し又は作用しなくなり、化粧グリル３０の引き上げ力が弱くなって天井に当接せず、取付不良を生ずることがあった。
【００１９】
そこで、本発明においては、スプリング３５の脚部３７に干渉するおそれのあるねじ５０を有するねじ止め部（図３に１１ａで示す）に、図６に示すように、ねじ５０の頭部が当接する平坦部１２の両側の下面に突部１３ａ，１３ｂを設けた。
【００２０】
この突部１３ａ，１３ｂは、突部１３ａ，１３ｂの外側の傾斜面１４ａ（以下、外側傾斜面という）と、内側の傾斜面１４ｂ（以下、内側傾斜面という）とにより下方にほぼ三角形状に突設して形成したもので、実施例では、外側傾斜面１４ａの傾斜角度αは２９．５°、内側傾斜面１４ｂの傾斜角度βはねじ穴の中心部から７ｍｍ離れた位置を基点として３０°であった。なお、このような突部１３ａ，１３ｂは、樹脂製のファンケーシング６を射出成形する際に形成できるため、若干加工するだけで従来の金型をそのまま使用することができる。
【００２１】
この突部１３ａ，１３ｂの外側傾斜面１４ａの傾斜角度αは、ねじ止め部１１ａを通過するスプリング３５の脚部３７の円弧部の曲げ角度にほぼ対応して形成されており、化粧グリル３０をファンケーシング６に取付けると、スプリング３５の脚部３７はこの外側傾斜面１４ａに沿って通過するので、ねじ５０がスプリング３５に干渉することはない。これにより、化粧グリル３０はスプリング３５の付勢力により引き上げられ、その周縁が天井４５に当接してファンケーシング６に取付けられ、外筐２０の下面開口部を確実に閉塞する。
【００２２】
上記の説明では、ねじ止め部１１ａの両側に突部１３ａ，１３ｂを設けた場合を示したが、スプリング取付部１５側（スプリング３５の脚部３７の通過側）のみに突部１３ａを設けてもよい。
【００２３】
本発明によれば、ファンケーシング６の吸込み口７側を外筐２０に固定するようにしたので、取付作業が容易で組立性を向上することができる。
また、ダクト用換気扇装置１は天井に据付けられるため高所作業となるが、ファンケーシング６の吸込み口７側が外筐２０に固定されているので視認し易く、このためメンテナンス性を向上することができる。
【００２４】
さらに、化粧グリル３０をファンケーシング６に取付けるためのスプリング３５の脚部３７に、ファンケーシング６を外筐２０に固定するためのねじ止め部のねじ５０が干渉するのを防止するため、ねじ止め部１１ａの少なくともスプリング取付部１５側に外側傾斜面１４ａを有し下方に突出する突部１３ａを設け、ファンケーシング６に化粧グリル３０を取付ける際に、スプリング３５の脚部３７がこの突部１３ａの外側傾斜面１４ａに沿って通過するようにしたので、ねじ止め部１１ａのねじ５０がスプリング３５に干渉することがなく、化粧グリル３０を所定の位置に確実に取付けることができる。
【００２５】
上記の説明では、本発明をダクト用換気扇装置に実施した場合を示したが、その他の送風機や空気調和機にも本発明を実施することができる。
【符号の説明】
【００２６】
１  ダクト換気扇装置、２  換気扇、３  送風機、４  モータ、５  ファン、６  ファンケーシング、７  吸込み口、８  風路、９  吐出口、１０  フランジ部、１１，１１ａ  ねじ止め部、１２  平坦部、１３ａ，１３ｂ  突部、１４ａ  外側傾斜面、１４ｂ  内側傾斜面、１５  スプリング取付部、１６  穴、２０  外筐、２１  排気口、２２  ダクト接続枠、２３  吐出口、２４  シャッター、２５  取付金具、３０  化粧グリル、３１  スプリング保持部、３２  穴、３３  支持ピン、３５  スプリング、３６  コイル部、３７ａ，３７ｂ  脚部、４０  ダクト、４５  天井、５０  ねじ。
【図１】
0005602090.tif 000002
【図２】
0005602090.tif 000003
【図３】
0005602090.tif 000004
【図４】
0005602090.tif 000005
【図５】
0005602090.tif 000006
【図６】
0005602090.tif 000007